(57)【要約】【課題】レンズ鏡筒において、簡略な構造にて、摩擦力等の発生を防止しつつ確実な遮光を図る。【解決手段】カム溝３５，３６を有し回転により光軸方向にカム作用を及ぼすカム筒３０、カム筒の内側において光軸方向に配列されカム溝に係合するフォロワピン４２，５２を各々有する複数のレンズ枠４１，５１、レンズ枠４１，５１の回転を規制するべく，カム筒３０とレンズ枠４１，５１との間に配置されてフォロワピン４２，５２を光軸方向Ｌに案内するガイド溝７１，７２を画定するガイド筒７０とを備え、後側のレンズ枠５１に、前側のレンズ枠４１のフォロワピン４２が係合するガイド溝７１に入り込んで外光を遮る遮光片５３を設けた。これにより、動作が円滑になり、外光の侵入が確実に防止される。【選択図】  図１１ 
2005283715.tif 000002
【特許請求の範囲】
【請求項１】
内周面にカム溝を有し回転により光軸方向にカム作用を及ぼすカム筒と、前記カム筒の内側において光軸方向に配列され前記カム溝に係合するフォロワピンを有するレンズ枠と、前記レンズ枠の回転を規制するべく，前記カム筒とレンズ枠との間に配置されて前記フォロワピンを光軸方向に案内するガイド溝を画定するガイド筒と、を備え、
前記レンズ枠は、前記フォロワピンの後方において、前記ガイド溝に入り込んで外光を遮る遮光片を有する、
ことを特徴とするレンズ鏡筒。
【請求項２】
内周面に複数のカム溝を有し回転により光軸方向にカム作用を及ぼすカム筒と、前記カム筒の内側において光軸方向に配列され前記カム溝に係合するフォロワピンを各々有する複数のレンズ枠と、前記複数のレンズ枠の回転を規制するべく，前記カム筒とレンズ枠との間に配置されて前記フォロワピンを光軸方向に案内する複数のガイド溝を画定するガイド筒と、を備え、
前記複数のレンズ枠のうち、後側のレンズ枠は、前側のレンズ枠のフォロワピンが係合するガイド溝に入り込んで外光を遮る遮光片を有する、
ことを特徴とするレンズ鏡筒。
【請求項３】
前記後側のレンズ枠は、そのフォロワピンの後方において、そのフォロワピンが係合するガイド溝に入り込んで外光を遮る遮光片を有する、
ことを特徴とする請求項２記載のレンズ鏡筒。
【請求項４】
前記遮光片は、樹脂材料により、前記後側のレンズ枠と一体的に形成されている、
ことを特徴とする請求項２又は３に記載のレンズ鏡筒。
【請求項５】
前記複数のレンズ枠は、光軸方向の前方から順に配列された第１レンズ枠及び第２レンズ枠を含み、
前記ガイド筒は、前記第１レンズ枠のフォロワピンを案内する第１ガイド溝と、前記第２レンズ枠のフォロワピンを案内する第２ガイド溝と、を含み、
前記第２レンズ枠は、前記第１ガイド溝に入り込んで外光を遮る遮光片を有する、
ことを特徴とする請求項２記載のレンズ鏡筒。
【請求項６】
前記第２レンズ枠は、そのフォロワピンが係合する第２ガイド溝に入り込んで外光を遮る遮光片を有する、
ことを特徴とする請求項５記載のレンズ鏡筒。
【請求項７】
前記遮光片は、樹脂材料により、前記第２レンズ枠と一体的に形成されている、
ことを特徴とする請求項５又は６に記載のレンズ鏡筒。
【発明の詳細な説明】
【技術分野】
【０００１】
本発明は、光軸方向においてレンズを移動させるレンズ鏡筒に関し、特に、外光の侵入を防止する遮光機能を備えたレンズ鏡筒に関する。
【背景技術】
【０００２】
従来のレンズ鏡筒としては、固定筒と、レンズを保持すると共に固定筒に対して出没自在に支持された移動筒と、固定筒の内周面に固定され移動筒の外周面に密接するように配置された複数の遮光リング部材とを備え、複数の遮光リング部材で、移動筒と固定筒との隙間から外光が侵入するのを防止するように構成されたものが知られている（例えば、特許文献１参照）。
【０００３】
また、従来の他のレンズ鏡筒としては、固定筒と、固定筒の内側において光軸方向に相対的に移動する第１レンズ群及び第２レンズ群と、第１レンズ群と第２レンズ群との間からの漏光を防止する環状の遮光部材とを備え、第１レンズ群と第２レンズ群とが接近したときに、遮光部材が第１レンズ群のレンズに後方から係合することで、第２レンズ群の周りの隙間から外光が侵入するのを防止するように構成されたものが知られている（例えば、特許文献２参照）
【０００４】
【特許文献１】特開平７−２２５３３２号公報
【特許文献２】特開平１１−８４１９８号公報
【発明の開示】
【発明が解決しようとする課題】
【０００５】
ところで、上記従来のレンズ鏡筒においては、遮光リング部材が移動筒の外周面に接触しつつ遮光するようになっているため、遮光リング部材が摩擦力を生じさせて、移動筒が円滑に移動できず、作動時間が長くなるという問題があった。また、遮光リング部材は、専用の部品として形成されているため、コストが高くなる要因となっていた。
また、上記従来の他のレンズ鏡筒においては、第１レンズ群の後方に設けられた遮光部材が、第１レンズ群と第２レンズ群とが接近したときに、第１レンズ群のレンズに後方から係合して遮光するようになっているため、第１レンズ群と第２レンズ群とが相対的に離隔したときには、遮光することができない。また、遮光部材は、弾性変形するように特殊な形状に形成されているため、製造が困難であり、コストが高くなる要因となっていた。
【０００６】
本発明は、上記従来技術の問題点に鑑みて成されたものであり、その目的とするところは、簡略な構造にて、動作の円滑化等を図りつつ確実に遮光することができ、又、専用の部品を用いずに低コスト化を図れる、レンズ鏡筒を提供することにある。
【課題を解決するための手段】
【０００７】
本発明のレンズ鏡筒は、内周面にカム溝を有し回転により光軸方向にカム作用を及ぼすカム筒と、カム筒の内側において光軸方向に配列されカム溝に係合するフォロワピンを有するレンズ枠と、レンズ枠の回転を規制するべく，カム筒とレンズ枠との間に配置されてフォロワピンを光軸方向に案内するガイド溝を画定するガイド筒と、を備え、上記レンズ枠は、フォロワピンの後方において、ガイド溝に入り込んで外光を遮る遮光片を有する、ことを特徴としている。
この構成によれば、レンズ枠は、そのフォロワピンがガイド溝により光軸方向に案内されつつカム溝によりカム作用を受けて光軸方向に移動する。そして、フォロワピンの後方には、レンズ枠と一体的に移動する遮光片が設けられているため、フォロワピンとカム溝又はガイド溝との間に隙間がある場合、その隙間から後方のガイド溝に向けて侵入してきた外光は、ガイド溝を塞ぐように臨む遮光片により遮光される。このように、遮光片は、ガイド溝に臨む（入り込む）位置においてレンズ枠に設けられているため、レンズ枠の動作は円滑に行われつつ外光の侵入が確実に防止される。
【０００８】
また、本発明のレンズ鏡筒は、内周面に複数のカム溝を有し回転により光軸方向にカム作用を及ぼすカム筒と、カム筒の内側において光軸方向に配列されカム溝に係合するフォロワピンを各々有する複数のレンズ枠と、複数のレンズ枠の回転を規制するべく，カム筒とレンズ枠との間に配置されてフォロワピンを光軸方向に案内する複数のガイド溝を画定するガイド筒と、を備え、上記複数のレンズ枠のうち、後側のレンズ枠は、前側のレンズ枠のフォロワピンが係合するガイド溝に入り込んで外光を遮る遮光片を有する、ことを特徴としている。
この構成によれば、複数のレンズ枠は、各々のフォロワピンが対応する各々のガイド溝により光軸方向に案内されつつ対応する各々のカム溝によりカム作用を受けて光軸方向に移動する。そして、後側のレンズ枠には、前側のレンズ枠のフォロワピンが係合するガイド溝に臨む（入り込む）遮光片が設けられているため、前側のレンズ枠のフォロワピンが係合するガイド溝を通って侵入してきた外光は、そのガイド溝を塞ぐように臨む遮光片により遮光される。このように、遮光片は、ガイド溝に臨む（入り込む）位置において後側のレンズ枠に設けられているため、前側のレンズ枠は勿論のこと後側のレンズ枠も円滑な動作が行えると共に、外光の侵入が確実に防止される。
【０００９】
上記構成において、後側のレンズ枠は、そのフォロワピンの後方において、そのフォロワピンが係合するガイド溝に入り込んで外光を遮る遮光片を有する、構成を採用することができる。
この構成によれば、後側のレンズ枠に設けられたフォロワピンの後方には、後側のレンズ枠と一体的に移動する遮光片が設けられているため、そのフォロワピンとカム溝又はガイド溝との間に隙間がある場合、その隙間から後方のガイド溝に向けて侵入してきた外光は、ガイド溝を塞ぐように臨む遮光片により遮光され、より確実な遮光効果が得られる。
【００１０】
上記構成において、遮光片は、樹脂材料により、後側のレンズ枠と一体的に形成されている、構成を採用することができる。
この構成によれば、専用の部品が不要になり、構造の簡略化、コストの低減等が達成される。
【００１１】
上記構成において、複数のレンズ枠は、光軸方向の前方から順に配列された第１レンズ枠及び第２レンズ枠を含み、ガイド筒は、第１レンズ枠のフォロワピンを案内する第１ガイド溝と、第２レンズ枠のフォロワピンを案内する第２ガイド溝と、を含み、第２レンズ枠は、第１ガイド溝に入り込んで外光を遮る遮光片を有する、構成を採用することができる。
この構成によれば、第１レンズ枠及び第２レンズ枠は、各々のフォロワピンが係合する第１ガイド溝及び第２ガイド溝により光軸方向に案内されつつ対応する各々のカム溝によりカム作用を受けて光軸方向に移動する。そして、第２レンズ枠には、第１レンズ枠のフォロワピンが係合する第１ガイド溝に臨む（入り込む）遮光片が設けられているため、第１ガイド溝を通って侵入してきた外光は、第１ガイド溝を塞ぐように臨む遮光片により遮光される。このように、遮光片は、第１ガイド溝に臨む（入り込む）位置において第２レンズ枠に設けられているため、第１レンズ枠は勿論のこと第２レンズ枠も円滑な動作が行えると共に、外光の侵入が確実に防止される。
【００１２】
上記構成において、第２レンズ枠は、そのフォロワピンが係合する第２ガイド溝に入り込んで外光を遮る遮光片を有する、構成を採用することができる。
この構成によれば、第２レンズ枠に設けられたフォロワピンの後方には、第２レンズ枠と一体的に移動する遮光片が設けられているため、そのフォロワピンとカム溝又は第２ガイド溝との間に隙間がある場合、その隙間から後方の第２ガイド溝に向けて侵入してきた外光は、第２ガイド溝を塞ぐように臨む遮光片により遮光され、より確実な遮光効果が得られる。
【００１３】
上記構成において、遮光片は、樹脂材料により、第２レンズ枠と一体的に形成されている、構成を採用することができる。
この構成によれば、専用の部品が不要になり、構造の簡略化、コストの低減等が達成される。
【発明の効果】
【００１４】
上記構成のレンズ鏡筒によれば、構造の簡略化が達成されつつ、レンズ枠の動作が円滑に行われて、外光の侵入が確実に防止される。また、レンズ枠に遮光片を一体的に形成することにより、専用の部品が不要になり低コスト化を達成できる。
【発明を実施するための最良の形態】
【００１５】
以下、本発明の最良の実施形態について、添付図面を参照しつつ説明する。
図１ないし図１１は、本発明に係るレンズ鏡筒を組み込んだレンズ駆動装置の一実施形態を示すものであり、図１は装置の正面図、図２及び図３は装置の断面図、図４はレンズ鏡筒の側面図及び正面図、図５及び図６はカム筒の側面図及び正面図並びに内周面を示す展開図、図７及び図８はガイド筒の側面図及び正面図並びに展開図、図９及び図１０は第１レンズ枠及び第２レンズ枠の側面図及び正面図、図１１及び図１２は第２レンズ枠の正面図及び側面図並びに背面図及び側面図である。
【００１６】
この装置は、図１ないし図３に示すように、ローパスフィルタ１１、撮像素子としてのＣＣＤ１２等が取り付けられた略矩形形状の輪郭をなすベース１０、ベース１０に固着された固定筒２０、固定筒２０の内側において回転及び直進自在に支持されたカム筒３０、カム筒３０の内側において光軸方向Ｌにそれぞれ移動自在に支持された第１レンズ群４０及び第２レンズ群５０、ベース１０に対して光軸方向Ｌに移動自在に支持された第３レンズ群６０、第１レンズ群４０及び第２レンズ群５０の回転を規制しつつ光軸方向に案内するガイド筒７０、カム筒３０を駆動する駆動機構８０、第３レンズ群６０を駆動する駆動機構９０等を備えている。
【００１７】
固定筒２０は、図１ないし図３に示すように、光軸方向Ｌに軸心をもつように樹脂材料により円筒状に形成されて、ベース１０に固着されている。固定筒２０の内周面２０ａには、周方向において等間隔（約１２０度ごと）に配置され後述する３つのフォロワピン３１に対してカム作用を及ぼす３つのカム溝２１（図においては一部を省略）が形成されている。
【００１８】
カム筒３０は、図２ないし図６に示すように、樹脂材料により円筒状に形成されて、固定筒２０の内側に入れ子状に同軸に配置されている。カム筒３０の外周面３０ａには、周方向において等間隔（約１２０度ごと）に配置された３つのフォロワピン３１、外部から回転駆動力が伝えられる円弧状のラック部３２等が形成されている。カム筒３０の内周面３０ｂには、図２、図３、図６に示すように、光軸方向Ｌにおいて第１レンズ群４０にカム作用を及ぼす３つのカム溝３５、光軸方向Ｌにおいて第２レンズ群５０にカム作用を及ぼす３つのカム溝３６が形成されている。尚、カム溝３５，３６は、断面が略Ｖ字状に形成されている。
【００１９】
ガイド筒７０は、図３、図４、図７、図８に示すように、第１レンズ群４０及び第２レンズ群５０とカム筒３０との間に配置されて、第１レンズ群４０及び第２レンズ群５０の回転を規制しつつ光軸方向Ｌへ往復動自在に案内するものである。すなわち、ガイド筒７０は、第１レンズ枠４１のフォロワピン４２を受け入れて光軸方向Ｌに案内する３つの第１ガイド溝７１、第２レンズ枠５１のフォロワピン５２を受け入れて光軸方向Ｌに案内する３つの第２ガイド溝７２、カム筒３０の内周面３０ｂに形成された環状溝に掛止される３つの掛止爪７３、後端部に形成された固定用のフランジ７４等を備えている。
尚、ここでは、第１ガイド溝７１及び第２ガイド溝７２は、切り欠かれて光軸方向Ｌに伸長する長孔形状に形成されているが、カム筒３０の内周面３０ｂと協働して溝形状を画定するものである。
【００２０】
そして、ガイド筒７０は、カム筒３０の内周面３０ｂに嵌合されつつも回転しないように固定筒２０に掛止されている。したがって、カム筒３０が回転すると、ガイド筒７０の第１ガイド溝７１が、カム溝３５によりカム作用が及ぼされるフォロワピン４２を光軸方向Ｌにおいてのみ往復動自在に案内し、又、ガイド筒７０の第２ガイド溝７２が、カム溝３６によりカム作用が及ぼされるフォロワピン５２を光軸方向Ｌにおいてのみ往復動自在に案内するようになっている。
【００２１】
第１レンズ群４０は、図２、図３、図９に示すように、樹脂材料により略円筒状に形成されレンズＧ１を保持する前側のレンズ枠としての第１レンズ枠４１、第１レンズ枠４１に形成されてカム溝３５に挿入される３つのフォロワピン４２等を備えている。そして、第１レンズ群４０は、カム筒３０が回動してカム溝３５がカム作用を及ぼすことにより、光軸方向Ｌにおいて前進及び後退する。
【００２２】
第２レンズ群５０は、図２、図３、図１０に示すように、樹脂材料により略円筒状に形成されレンズＧ２を保持する後側のレンズ枠としての第２レンズ枠５１、第２レンズ枠５１に形成されてカム溝３６に挿入される３つのフォロワピン５２、第２レンズ枠５１に形成されて第１ガイド溝７１に入り込む（臨む）３つの遮光片５３、フォロワピン５２の後方において第２レンズ枠５１に形成されて第２ガイド溝７２に入り込む（臨む）３つの遮光片５４、第２レンズ枠５１に固定されたシャッタユニットＳ等を備えている。そして、第２レンズ群５０は、カム筒３０が回動してカム溝３６がカム作用を及ぼすことにより、光軸方向Ｌにおいて前進及び後退する。
【００２３】
３つの遮光片５３は、図１０ないし図１２に示すように、ガイド筒７０の第１ガイド溝７１に対応する位置に設けられており、第１ガイド溝７１に入り込んで（臨んで）その通路を光軸方向Ｌにおいて塞ぐと共に、第１ガイド溝７１内を光軸方向Ｌに円滑に移動できる寸法に形成されている。
すなわち、光軸方向Ｌの前方Ｆから第１ガイド溝７１を通って侵入してきた外光は、第１ガイド溝７１を塞ぐように形成された３つの遮光片５３により確実に遮光される。したがって、第１ガイド溝７１を通って後方に配置されたＣＣＤ１２に向かう外光（漏光）の侵入が確実に防止される。
【００２４】
３つの遮光片５４は、図１０ないし図１２に示すように、ガイド筒７０の第２ガイド溝７１に対応する位置、すなわち、光軸方向Ｌにおいてフォロワピン５２の後方Ｒに設けられており、第２ガイド溝７２に入り込んで（臨んで）その通路を光軸方向Ｌにおいて塞ぐと共に、第２ガイド溝７２内を光軸方向Ｌに円滑に移動できる寸法に形成されている。
すなわち、フォロワピン５２とカム溝３６又は第１ガイド溝７２との間に隙間がある場合、その隙間からフォロワピン５２の後方の第２ガイド溝７２に向けて侵入してきた外光は、第２ガイド溝７２を塞ぐように臨む遮光片５４により遮光され、より確実な遮光効果が得られる。したがって、第２ガイド溝７２を通って後方に配置されたＣＣＤ１２に向かう外光（漏光）の侵入が確実に防止される。
【００２５】
このように、第２レンズ枠５１と一体的に形成された遮光片５３，５４を採用したことにより、専用の部品が不要になり、構造の簡略化、コストの低減等が達成される。また、遮光片５３，５４は、第１ガイド溝７１及び第２ガイド溝７２に対して円滑に移動できる寸法に形成されているため、不要な摩擦力が発生することもなく、第２レンズ群５０は円滑な動作を行うことができる。
【００２６】
第３レンズ群６０は、図２及び図３に示すように、レンズＧ３を保持するレンズ枠６１を備える。レンズ枠６１は、固定筒２０の外側に配置されたステップモータ、ステップモータにより駆動されるリードスクリュー、レンズ枠６１に保持されリードスクリューに螺合したナット等を含む駆動機構９０により、光軸方向Ｌにおいて前進及び後退して合焦動作を行う。
【００２７】
駆動機構８０は、図１に示すように、ベース１０に固定されたＤＣモータ８１、ラック部３２と噛合する歯車８２を含む歯車列等を備えており、ＤＣモータ８１の駆動量をカム筒３０に伝達するようになっている。
すなわち、ＤＣモータ８１が回転すると、歯車８２を含む歯車列を介して、カム筒３０が固定筒２０に対して相対的に回転する。そして、第１レンズ群４０及び第２レンズ群５０は、光軸方向Ｌにおいてそれぞれ繰り出して（前方Ｆに移動して）又は繰り込んで（後方Ｒに移動して）、図２に示す非撮影時の沈胴位置から望遠端撮影位置を経て図３に示す広角端撮影位置までの間を移動し、幅広い撮影が行えるようにズーミング動作を行う。
【００２８】
次に、上記レンズ鏡筒及びレンズ駆動装置の組み付け手順について説明する。先ず、カム筒３０の内周面３０ｂにガイド筒７０を嵌め込む。この状態において、ガイド筒７０はカム筒３０に対して回動自在に支持されている。
続いて、カム筒３０のカム溝３５，３６（の開口部）とガイド筒７０の第１ガイド溝７１及び第２ガイド溝７２とが周方向において一致させられた状態で、カム筒３０に対して、第１レンズ枠４１を組み付け、続けて、第２レンズ枠５１を組み付ける。
【００２９】
次に、カム筒３０をガイド筒７０に対して相対的に回転させて、フォロワピン４２，５２を、カム溝３５，３６の前方に移動させる。これにより、レンズ鏡筒の組付けが完了し、又、遮光機能も同時に形成される。すなわち、第２レンズ枠５１に遮光片５３、５４を一体的に形成したことにより、従来のように別個の遮光部材を設ける場合に比べて、組付け作業が簡素化され、生産性が向上する。
続いて、このレンズ鏡筒は、固定筒２０に対して組み付けられて、レンズ駆動装置が完成する。
【００３０】
次に、上記のレンズ鏡筒を備えるレンズ駆動装置がデジタルカメラに搭載された場合の一般的な動作について説明すると、先ず非撮影時において、第１レンズ群４０及び第２レンズ群５０並びにカム筒３０は、図２に示すように、光軸方向Ｌの後方Ｆに向けて後退した沈胴位置にある。
【００３１】
この沈胴位置から、駆動機構８０によりカム筒３０が回転させられると、フォロワピン３１がカム溝２１に案内されて移動し、カム筒３０は光軸方向Ｌの前方に向かって繰り出す。また、カム筒３０の回転により、フォロワピン４２，５２がそれぞれカム溝３５，３６に案内されて、第１レンズ群４０及び第２レンズ群５０が、望遠端撮影位置を経て、図３に示す広角端撮影位置に至る。一方、第３レンズ群６０は、駆動機構９０により、第１レンズ群４０及び第２レンズ群５０の位置に応じた合焦位置に移動する。
【００３２】
この一連の動作中において、第１レンズ枠４１とカム筒３０との間の隙間から侵入した外光は、ガイド筒７０の第１ガイド溝７１及び第２ガイド溝７２を後方Ｆに進んで、最終的に第２レンズ枠５２に一体的に形成された遮光片５３，５４により遮光されるため、後方に位置するＣＣＤ１２に到達するのが確実に防止される。
【００３３】
上記実施形態においては、カム筒３０により光軸方向Ｌに移動させられるレンズ枠（レンズ群）として２つのレンズ枠４１，５１（２つのレンズ群４０，５０）を示したが、一つのレンズ枠（レンズ群）を備える構成において、あるいは、３つ以上の複数のレンズ枠（レンズ群）を備える構成において、本発明に係る遮光片を設けてもよい。
また、上記実施形態においては、ガイド筒のガイド溝に入り込んで外光を遮光する遮光片として、レンズ枠５１に一体的に形成された遮光片５３，５４を示したが、これに限定されるものではなく、別個に形成された遮光片を後でレンズ枠に接合する構成でも、本発明の範疇に含まれるものであり、上記実施形態と同様の遮光効果、円滑な動作を得ることができる。
【産業上の利用可能性】
【００３４】
以上述べたように、本発明のレンズ鏡筒は、円滑な動作を保証しつつ、外光を確実に遮光することができるため、デジタルスチルカメラ、デジタルビデオカメラ等に搭載されるのは勿論のこと、銀塩フィルム式のカメラにおいても同様に適用することができる。
【図面の簡単な説明】
【００３５】
【図１】本発明に係るレンズ鏡筒を組み込んだレンズ駆動装置の一実施形態を示す正面図である。
【図２】図１に示す装置のレンズ鏡筒が沈胴した状態を示す断面図である。
【図３】図１に示す装置のレンズ鏡筒が繰り出した状態を示す断面図である。
【図４】本発明に係るレンズ鏡筒の一実施形態を示すものであり、（ａ）は側面図、（ｂ）は正面図である。
【図５】レンズ鏡胴の一部をなすカム筒を示すものであり、（ａ）は側面図、（ｂ）は正面図である。
【図６】図５に示すカム筒の内周面に形成されたカム溝を示す展開図である。
【図７】レンズ鏡胴の一部をなすガイド筒を示すものであり、（ａ）は側面図、（ｂ）はＥ１−Ｅ１における断面図である。
【図８】図７に示すガイド筒を示す展開図である。
【図９】レンズ鏡胴の一部をなす第１レンズ群（第１レンズ枠）を示すものであり、（ａ）は側面図、（ｂ）は正面図である。
【図１０】レンズ鏡胴の一部をなす第２レンズ群（第２レンズ枠）を示すものであり、（ａ）は側面図、（ｂ）は正面図である。
【図１１】第２レンズ枠に形成された遮光片とガイド筒に形成されたガイド溝との関係を示すものであり、（ａ）は正面図、（ｂ）は側面図である。
【図１２】第２レンズ枠に形成された遮光片とガイド筒に形成されたガイド溝との関係を示すものであり、（ａ）は背面図、（ｂ）は側面図である。
【符号の説明】
【００３６】
Ｌ  光軸方向
Ｇ１，Ｇ２，Ｇ３  レンズ
１０  ベース
１１  ローパスフィルタ
１２  ＣＣＤ
２０  固定筒
２１  カム溝
３０  カム筒
３０ｂ  内周面
３１  フォロワピン
３５，３６  カム溝
４０  第１レンズ群
４１  第１レンズ枠（前側のレンズ枠）
４２  フォロワピン
５０  第２レンズ群
５１  第２レンズ枠（後側のレンズ枠）
５２  フォロワピン
５３  第１ガイド溝に入り込む遮光片
５４  第２ガイド溝に入り込む遮光片
６０  第３レンズ群
７０  ガイド筒
７１  第１ガイド溝
７２  第２ガイド溝
８０，９０  駆動機構
【図１】
2005283715.tif 000003
【図２】
2005283715.tif 000004
【図３】
2005283715.tif 000005
【図４】
2005283715.tif 000006
【図５】
2005283715.tif 000007
【図６】
2005283715.tif 000008
【図７】
2005283715.tif 000009
【図８】
2005283715.tif 000010
【図９】
2005283715.tif 000011
【図１０】
2005283715.tif 000012
【図１１】
2005283715.tif 000013
【図１２】
2005283715.tif 000014